(57)【要約】【課題】環境温度または湿度が変化してもマーク画像のムラや濃度の変化が少ない、画質の良好なマーク付与手段を備えた自動原稿送り装置を提供すること。【解決手段】読み込みを完了した原稿にマークを付与するマーク付与手段を備えた自動原稿送り装置において、前記マーク付与手段によるマーク付与手段の動作時間を環境温度及び／または湿度に応じて変化させる制御手段を備えたことを特徴とする自動原稿送り装置。【選択図】        図９
2004193737.tif 000002
【特許請求の範囲】
【請求項１】
読み込みを完了した原稿にマークを付与するマーク付与手段を備えた自動原稿送り装置において、
前記マーク付与手段によるマーク付与手段の動作時間を環境温度に応じて変化させる制御手段を備えたことを特徴とする自動原稿送り装置。
【請求項２】
前記環境温度を検知する温度検知手段を、前記自動原稿送り装置、または前記自動原稿送り装置を搭載した画像形成装置本体に設けたことを特徴とする請求項１に記載の自動原稿送り装置。
【請求項３】
前記環境温度を手動の入力手段により入力することを特徴とする請求項１に記載の自動原稿送り装置。
【請求項４】
読み込みを完了した原稿にマークを付与するマーク付与手段を備えた自動原稿送り装置において、
前記マーク付与手段によるマーク付与手段の動作時間を環境湿度に応じて変化させる制御手段を備えたことを特徴とする自動原稿送り装置。
【請求項５】
前記環境湿度を検知する湿度検知手段を、前記自動原稿送り装置、または前記自動原稿送り装置を搭載した画像形成装置本体に設けたことを特徴とする請求項４に記載の自動原稿送り装置。
【請求項６】
前記環境湿度を手動の入力手段により入力することを特徴とする請求項４に記載の自動原稿送り装置。
【請求項７】
読み込みを完了した原稿にマークを付与するマーク付与手段を備えた自動原稿送り装置において、
前記マーク付与手段によるマーク付与手段の動作時間を環境温度及び湿度に応じて変化させる制御手段を備えたことを特徴とする自動原稿送り装置。
【請求項８】
前記環境温度及び湿度を検知する温湿度検知手段を、前記自動原稿送り装置、または前記自動原稿送り装置を搭載した画像形成装置本体に設けたことを特徴とする請求項７に記載の自動原稿送り装置。
【請求項９】
前記環境温度及び湿度を手動の入力手段により入力することを特徴とする請求項７に記載の自動原稿送り装置。
【発明の詳細な説明】
【０００１】
【発明の属する技術分野】
本発明は、ファクシミリやファクシミリ兼用の複写機（複合機）等の画像形成装置に用いる自動原稿送り装置に関し、特に読み込みを完了した原稿にマークを付与するマーク付与手段を備えた自動原稿送り装置に関する。
【０００２】
【従来の技術】
従来、ファクシミリやファクシミリ兼用の複写機（複合機）等の画像形成装置に用いられる自動原稿送り装置には、読み込みを完了した原稿にマークを付与するマーク付与手段付きのものがあり、原稿が原稿載置台から画像読取位置へと搬送され読込手段により読み込みを完了した後に、マーク付与手段により読み込み完了を示すマークが付与されていた。
【０００３】
然るに、当該マーク付与手段を用いて原稿にマークを付与する際に、原稿送り速度を速くし過ぎるとマークのかすれやにじみが問題となり、遅くし過ぎたり一時停止させたりすれば時間当たりの原稿送り枚数の低下が問題であった。
【０００４】
この問題を解決するため、マーク付与手段（以下、スタンプ手段ともいう。）の動作時間（マーク付与手段を原稿に当接させマークを付与する時間）を選択可能に構成し、選択された動作時間に対応して原稿送り速度を制御するという発明が提案された（例えば、特許文献１参照。）。
【０００５】
しかしながら、特許文献１に記載された発明には、環境温度及び湿度の影響についての配慮が無く、環境温度及び湿度の条件が変化したとき、マーク画像の濃度が濃くなりすぎたり、薄くなりすぎたりするという懸念がある。即ち、環境温度が低いときには、スタンプ手段に用いられるゴムの硬度が硬くなるため原稿用紙との密着が不十分となり、マーク画像にムラまたは濃度低下を生じさせるという問題があり、環境温度が高いときには、前記ゴムの硬度が柔らかくなるためスタンプ画像の濃度が高くなり過ぎて原稿画像との区別が難しくなり、原稿画像が汚染されたような状態になるという問題がある。
【０００６】
また、環境湿度が高いときには、原稿用紙に対しマーク画像がにじみ易くなり、環境湿度が低いときには、マーク画像がかすれ易くなるといった問題を生じることがある。
【０００７】
【特許文献１】
特開平１０−２５４１９５号公報（第３頁、第４図）
【０００８】
【発明が解決しようとする課題】
本発明は上記の問題点を解決し、環境温度または湿度が変化してもマーク画像のムラや濃度の変化が少ない、画質の良好なマーク付与手段を備えた自動原稿送り装置を提供することを目的とする。
【０００９】
【課題を解決するための手段】
上記目的は下記の構成により達成される。
【００１０】
（１）読み込みを完了した原稿にマークを付与するマーク付与手段を備えた自動原稿送り装置において、
前記マーク付与手段によるマーク付与手段の動作時間を環境温度に応じて変化させる制御手段を備えたことを特徴とする自動原稿送り装置。
【００１１】
（２）前記環境温度を検知する温度検知手段を、前記自動原稿送り装置、または前記自動原稿送り装置を搭載した画像形成装置本体に設けたことを特徴とする（１）に記載の自動原稿送り装置。
【００１２】
（３）前記環境温度を手動の入力手段により入力することを特徴とする（１）に記載の自動原稿送り装置。
【００１３】
（４）読み込みを完了した原稿にマークを付与するマーク付与手段を備えた自動原稿送り装置において、
前記マーク付与手段によるマーク付与手段の動作時間を環境湿度に応じて変化させる制御手段を備えたことを特徴とする自動原稿送り装置。
【００１４】
（５）前記環境湿度を検知する湿度検知手段を、前記自動原稿送り装置、または前記自動原稿送り装置を搭載した画像形成装置本体に設けたことを特徴とする（４）に記載の自動原稿送り装置。
【００１５】
（６）前記環境湿度を手動の入力手段により入力することを特徴とする（４）に記載の自動原稿送り装置。
【００１６】
（７）読み込みを完了した原稿にマークを付与するマーク付与手段を備えた自動原稿送り装置において、
前記マーク付与手段によるマーク付与手段の動作時間を環境温度及び湿度に応じて変化させる制御手段を備えたことを特徴とする自動原稿送り装置。
【００１７】
（８）前記環境温度及び湿度を検知する温湿度検知手段を、前記自動原稿送り装置、または前記自動原稿送り装置を搭載した画像形成装置本体に設けたことを特徴とする（７）に記載の自動原稿送り装置。
【００１８】
（９）前記環境温度及び湿度を手動の入力手段により入力することを特徴とする（７）に記載の自動原稿送り装置。
【００１９】
【発明の実施の形態】
以下、本発明の実施の形態を、図面を参照して詳細に説明する。
【００２０】
図１は、本発明に係る第１、及び第２の実施の形態の自動原稿送り装置２の構成例を示すブロック図であり、図２は、自動原稿送り装置２の要部断面図である。
【００２１】
図１において、自動原稿送り装置２は、ファクシミリ機能を有する電子写真方式の複写機（複合機）等の画像形成装置１に結合された状態を示している。
【００２２】
画像形成装置１は、制御手段である制御部１０、読み取り部１１、操作部１２、及び表示部１３等を備え、自動原稿送り装置２は、原稿位置検知センサ２３、原稿搬送手段２０、スタンプ手段２６、及び環境温度入力手段３０を備えている。
【００２３】
本発明の第１の実施の形態では、環境温度入力手段３０として温度検出手段である温度検出センサ（不図示）が用いられ、第２の実施の形態では、環境温度入力手段３０として手動の入力手段、例えばテンキー（不図示）等が用いられる。
【００２４】
制御部１０は、例えばＣＰＵ１０ａ、ＲＯＭ１０ｂ、ＲＡＭ１０ｃ、画像メモリ１０ｄ、及びタイマ１０ｅを備えている。ＣＰＵ１０ａはＲＯＭ１０ｂに格納された制御プログラムに従って、ＲＡＭ１０ｃをワークエリアとして使用しながら、自動原稿送り装置２の全体の動作を制御する。また、画像メモリ１０ｄは読み取り部１１から読み込んだ原稿の情報（送信画像）を符号化処理や復号化処理等の画像処理を行う場合の一時メモリ等として利用される。
【００２５】
原稿搬送手段２０は、図２に示すように、原稿送り出しローラ２１、原稿送り出し路２２、原稿案内ローラ２４、原稿排出路２５、原稿排出ローラ２７を備え、原稿Ｄを搬送する。即ち、自動原稿送り装置２の原稿給紙台２８上に第１面を上向きにして載置された原稿Ｄは、原稿送り出しローラ２１により送り出されて、レジストローラ（参照符号なし）を経て原稿送り出し路２２を通過し、原稿案内ローラ２４とスリット露光用ガラス１９の上面とが対向する原稿読み取り位置Ａにおいて、画像読み取り部１１により原稿Ｄの画像が読み取られながら搬送される。原稿Ｄの後端が原稿位置検知センサ２３を通過した時点から制御部１０のタイマ１０ｅが作動し、所定時間経過後に、制御部１０からの指令によりスタンプ手段２６が作動し、読み込みが完了した原稿Ｄの所定位置にマークが捺印される。マークを捺印された原稿Ｄは原稿排出路２５を経由して原稿排出ローラ２７により排出され、原稿排出トレイ２９上に載置される。
【００２６】
原稿位置検知センサ２３は、原稿Ｄをスタンプ位置に正確に搬送するために、例えば、通過する原稿Ｄの後端を検知するためのセンサである。原稿位置検知センサ２３が検知した信号は制御部１０に送られ、原稿Ｄはスタンプ捺印のため制御部１０からの指令により所定の位置に一時的に停止される。
【００２７】
読み取り部１１は、原稿Ｄの情報を読み取る処理を行う装置であり、例えば、ＣＣＤ（Ｃｈａｒｇｅ  Ｃｏｕｐｌｅｄ  Ｄｅｖｉｃｅ）を利用したイメージスキャナ等が利用されている。読み取り部１１は、搬送手段２０により搬送されてきた原稿Ｄに光源から光を照射して、その反射光を光学系を介してＣＣＤに入射することで原稿Ｄを走査し、原稿Ｄの画像を原稿読み取り位置Ａにおいて所定の解像度で読み取る。
【００２８】
操作部１２は、画像形成装置１及び自動原稿送り装置２を動作させるための操作を行う手段であり、例えば、キーボードからなり、原稿Ｄの送信やコピースタートを指示するスタートボタン、原稿の読み込み完了のマーク捺印機能の選択をする捺印機能選択ボタン等を備えている。
【００２９】
表示部１３は、ＦＡＸ送信等を行うときの設定内容及び動作状態を表示するための手段であり、例えば、ＬＣＤ（Ｌｉｑｕｉｄ  Ｃｒｙｓｔａｌ  Ｄｉｓｐｌａｙ）等からなる。この表示部１３には、ユーザが捺印モードを選択するときの捺印機能選択画面等が表示される。
【００３０】
スタンプ手段２６は、図２に示すように、原稿排出ローラ２７の原稿排出方向上流側の原稿排出路２５の下方に配置されている。原稿排出路２５を介してスタンプ手段２６と反対側に、スタンプ捺印時の受け板ＢＰが設けられている。スタンプ手段２６と受け板ＢＰとの間には原稿Ｄが通過できるだけの間隙が設けられている。
【００３１】
図３はスタンプ手段２６の構成及び動作を説明するための模式的断面図である。
【００３２】
スタンプ手段２６は、図３に示すように、スタンパ２６ａ、ソレノイド２６ｂ、取付板２６ｃを備えており、取付板２６ｃは自動原稿送り装置本体に固定されている。スタンパ２６ａは、スタンプ捺印時に制御部１０からの指令によりソレノイド２６ｂが励起されることにより、２点鎖線の位置に移動して原稿Ｄに捺印し、捺印を終えるとバネ手段（不図示）により実線の位置に戻される。
【００３３】
また、スタンパ２６ａの先端部の形状は、例えば丸型にされ、原稿Ｄに押されたスタンプは、使用するインクにより赤い丸、または黒い丸となる。
【００３４】
第１の実施の形態において、自動原稿送り装置２に配設された環境温度入力手段３０は温度検知手段、即ち温度検知センサ（不図示）であって、該温度検知センサは、例えばサーモカップル等を利用した温度計であり、環境温度を検知し電気信号を制御部１０に送る。予め、制御部１０のＲＯＭ１０ｂ内に、環境温度に対応したスタンプ手段２６の動作時間を選択するプログラムが入力されてあり、前記温度検知センサから制御部１０に送られた信号の値に応じて、制御部１０は、前記プログラムからスタンプ手段２６の動作時間を選択し、スタンプ手段２６に指令を発してスタンプ手段２６の動作時間を制御する。
【００３５】
なお、前記温度検知センサは、自動原稿送り装置２を搭載する画像形成装置１の本体に配設しても良い。
【００３６】
第２の実施の形態においては、自動原稿送り装置２に配設される環境温度入力手段３０は、任意の温度計等により得られた環境温度情報に基づいて、環境温度を自動原稿送り装置２に入力するための手動の入力手段であって、例えば、操作部１２に設けられたボタン等で構成される。具体的構成としては、テンキー、複数の環境温度選定ボタン、またはタッチパネル画面等が挙げられる。環境温度入力手段３０により入力された温度データが電気信号に変換され、制御部１０に送られる。
【００３７】
即ち、第１の実施の形態では、温度検知センサにより、環境温度に応じたスタンプ手段２６の動作時間が自動的に選定される構成であるが、第２の実施の形態では、温度検知センサが構成に無く、環境温度情報を手動で入力するという構成であり、第２の実施の形態におけるその他の構成は第１の実施の形態の構成と同一である。また、第２の実施の形態において、制御部１０に信号が送られた後の動作は第１の実施の形態と同じである。
【００３８】
次に、本発明の第１の実施の形態における自動原稿送り装置２についての動作を説明する。図４は第１の実施の形態における自動原稿送り装置２の動作を説明するためのフローチャートである。
【００３９】
先ず、ユーザが操作部１２の捺印機能選択ボタンにより捺印機能を選択する（Ｓ１１）。次に、スタートボタン、例えばＦＡＸ送信ボタンを押し（Ｓ１２）、搬送手段２０により原稿Ｄが送り出される（Ｓ１３）。原稿読み取り位置Ａに搬送された原稿Ｄの情報が読み取り部１１により読み取られる（Ｓ１４）。温度検知センサから制御部１０に送られた電気信号に基づいて、制御部１０は前記プログラムよりスタンプ手段２６の動作時間を選択し、スタンプ手段２６の動作時間を決定し（Ｓ１５）、スタンプ手段２６に指令を発してスタンプ手段２６を動作させスタンプ捺印を行う（Ｓ１６）。捺印された原稿Ｄは原稿排出ローラ２７により排出され、原稿排出トレイ２９上に載置される（Ｓ１７）。
【００４０】
次いで、本発明の第２の実施の形態における自動原稿送り装置２についての動作を説明する。図５は第２の実施の形態における自動原稿送り装置２の動作を説明するためのフローチャートである。
【００４１】
先ず、ユーザは、捺印機能選択ボタンにより捺印機能を選択し（Ｓ２１）、次いで、環境温度情報を操作部１２に設けたボタン、例えばテンキーにより、入力する（Ｓ２２）。制御部１０は、入力された環境温度情報に基づいて、前記プログラムよりスタンプ手段２６の動作時間を選択、決定する（Ｓ２３）。ユーザがＦＡＸ送信ボタンを押す（Ｓ２４）と、制御部１０からの指令により搬送手段２０を介して原稿Ｄが送り出される（Ｓ２５）。原稿読み取り位置Ａに搬送された原稿Ｄの情報が読み取り部１１により読み取られる（Ｓ２６）。制御部１０はスタンプ手段２６に指令を発してスタンプ手段２６を動作させスタンプ捺印を行う（Ｓ２７）。捺印された原稿Ｄは原稿排出ローラ２７により排出され、原稿排出トレイ２９上に載置される（Ｓ２８）。
【００４２】
次に、本発明に係る第３、及び第４の実施の形態の自動原稿送り装置２について説明する。
【００４３】
図６は、第３、及び第４の実施の形態の自動原稿送り装置２の構成例を示すブロック図であり、要部断面図は第１、及び第２の実施の形態と同一の図２が適用できる。図６（第３、及び第４の実施の形態）と図１（第１、及び第２の実施の形態）との違いは、図１の自動原稿送り装置２内の環境温度入力手段３０が、図６では環境湿度入力手段３１となった点であり、他の構成は同一であり、同一の符番及び名称を用いているため、同一の構成及び動作についての説明は省略する。
【００４４】
本発明の第３の実施の形態では、環境湿度入力手段３１として湿度検出手段である湿度検出センサ（不図示）が用いられ、第４の実施の形態では、環境湿度入力手段３１として手動の入力手段、例えばテンキー（不図示）等が用いられる。
【００４５】
第３の実施の形態において、自動原稿送り装置２に配設された環境湿度入力手段３１は湿度検知センサ（不図示）であって、該湿度検知センサは、例えば電気抵抗式湿度計であり、環境湿度を検知し電気信号を制御部１０に送る。予め、制御部１０のＲＯＭ１０ｂ内に、環境湿度に対応したスタンプ手段２６の動作時間を選択するプログラムが入力されてあり、湿度検知センサから制御部１０に送られた信号の値に応じて、制御部１０は、前記プログラムからスタンプ手段２６の動作時間を選択し、スタンプ手段２６に指令を発してスタンプ手段２６の動作時間を制御する。
【００４６】
なお、第１の実施の形態における温度検知センサと同様に、第３の実施の形態における湿度検出センサは、自動原稿送り装置２を搭載した画像形成装置１の本体に配設しても良い。
【００４７】
第４の実施の形態においては、自動原稿送り装置２に配設される環境湿度入力手段３１は、任意の湿度計等により得られた環境湿度情報に基づいて、環境湿度を自動原稿送り装置２に入力するための手動の入力手段であって、例えば、操作部１２に設けられたボタン等で構成される。具体的構成としては、テンキー、複数の環境湿度選定ボタン、またはタッチパネル画面等が挙げられる。環境湿度入力手段３１により入力された湿度データが電気信号に変換され、制御部１０に送られる。
【００４８】
即ち、第３の実施の形態では、湿度検知センサにより、環境湿度に応じたスタンプ手段２６の動作時間が自動的に制御される構成であるが、第４の実施の形態では、湿度検知センサが構成に無く、環境湿度情報を手動で入力するという構成であり、他の構成は第３の実施の形態の構成と同一である。また、第４の実施の形態において、制御部１０に信号が送られた後の動作は第３の実施の形態と同じである。
【００４９】
次に、本発明の第３の実施の形態における自動原稿送り装置２についての動作を説明する。図７は第３の実施の形態における自動原稿送り装置２の動作を説明するためのフローチャートである。
【００５０】
先ず、ユーザが操作部１２の捺印機能選択ボタンにより捺印機能を選択する（Ｓ３１）。次に、スタートボタン、例えばＦＡＸ送信ボタンを押し（Ｓ３２）、搬送手段２０により原稿Ｄが送り出される（Ｓ３３）。原稿読み取り位置Ａに搬送された原稿Ｄの情報が読み取り部１１により読み取られる（Ｓ３４）。湿度検知センサから制御部１０に送られた電気信号に基づいて、制御部１０は前記プログラムよりスタンプ手段２６の動作時間を選択し、スタンプ手段２６の動作時間を決定し（Ｓ３５）、スタンプ手段２６に指令を発してスタンプ手段２６を動作させスタンプ捺印を行う（Ｓ３６）。捺印された原稿Ｄは原稿排出ローラ２７により排出され、原稿排出トレイ２９上に載置される（Ｓ３７）。
【００５１】
次いで、本発明の第４の実施の形態における自動原稿送り装置２についての動作を説明する。図８は第４の実施の形態における自動原稿送り装置２の動作を説明するためのフローチャートである。
【００５２】
先ず、ユーザは、捺印機能選択ボタンにより捺印機能を選択し（Ｓ４１）、次いで、環境湿度情報を操作部１２に設けたボタン、例えばテンキーにより、入力する（Ｓ４２）。制御部１０は、入力された環境湿度情報に基づいて、前記プログラムよりスタンプ手段２６の動作時間を選択、決定する（Ｓ４３）。ユーザがＦＡＸ送信ボタンを押す（Ｓ４４）と、制御部１０からの指令により搬送手段２０を介して原稿Ｄが送り出される（Ｓ４５）。原稿読み取り位置Ａに搬送された原稿Ｄの情報が読み取り部１１により読み取られる（Ｓ４６）。制御部１０はスタンプ手段２６に指令を発してスタンプ手段２６を動作させスタンプ捺印を行う（Ｓ４７）。捺印された原稿Ｄは原稿排出ローラ２７により排出され、原稿排出トレイ２９上に載置される（Ｓ４８）。
【００５３】
次に、本発明に係る第５、及び第６の実施の形態の自動原稿送り装置２について説明する。
【００５４】
図９は、第５、及び第６の実施の形態の自動原稿送り装置２の構成例を示すブロック図であり、要部断面図は第１、及び第２の実施の形態と同一の図２が適用される。図９（第５、及び第６の実施の形態）と図１（第１、及び第２の実施の形態）との違いは、図１の自動原稿送り装置２内の環境温度入力手段３０が、図９では環境温度入力手段３０と環境湿度入力手段３１との２つの手段となっている点であり、他の構成は同一であり、同一の符番及び名称を用いているため、同一の構成及び動作についての説明は省略する。
【００５５】
本発明の第５の実施の形態では、環境温度入力手段３０として温度検出手段である温度検出センサ（不図示）が用いられていると共に、環境湿度入力手段３１として湿度検出手段である湿度検出センサ（不図示）が用いられ、第６の実施の形態では、環境湿度入力手段３０及び環境湿度入力手段３１として、手動の入力手段、例えばテンキー（不図示）等が用いられる。
【００５６】
第５の実施の形態において、自動原稿送り装置２に配設された、環境温度入力手段３０は温度検出センサであり、環境湿度入力手段３１は湿度検知センサであって、該温度検出センサ及び該湿度検知センサは、環境温度及び環境湿度を検知し電気信号を制御部１０に送る。予め、制御部１０のＲＯＭ１０ｂ内に、環境温度及び環境湿度に対応したスタンプ手段２６の動作時間を選択するプログラムが入力されてあり、前記温度検出センサ及び湿度検知センサから制御部１０に送られた信号の値に応じて、制御部１０は、前記プログラムからスタンプ手段２６の動作時間を選択し、スタンプ手段２６に指令を発してスタンプ手段２６の動作時間を制御する。
【００５７】
なお、第１の実施の形態における温度検知センサと同様に、第５の実施の形態における温度検知センサ及び湿度検出センサは、自動原稿送り装置２を搭載した画像形成装置１の本体に配設しても良い。
【００５８】
第６の実施の形態においては、自動原稿送り装置２に配設される環境温度入力手段３０及び環境湿度入力手段３１は、任意の温度計及び湿度計等により得られた環境温度情報及び環境湿度情報に基づいて、環境温度及び環境湿度を自動原稿送り装置２に入力するための手動の入力手段であって、例えば、操作部１２に設けられたボタン等で構成される。具体的構成としては、テンキー、複数の環境温度及び環境湿度選定ボタン、またはタッチパネル画面等が挙げられる。環境温度入力手段３０及び環境湿度入力手段３１により入力された温度及び湿度のデータが電気信号に変換され、制御部１０に信号が送られる。
【００５９】
即ち、第５の実施の形態では、温度検知センサ及び湿度検知センサにより、環境温度及び環境湿度に応じたスタンプ手段２６の動作時間が自動的に制御される構成であるが、第６の実施の形態では、温度検知センサ及び湿度検知センサが構成に無く、環境温度情報及び環境湿度情報を手動で入力するという構成であり、他の構成は第５の実施の形態の構成と同一である。また、第６の実施の形態において、制御部１０に信号が送られた後の動作は第５の実施の形態と同じである。
【００６０】
第５及び第６の実施の形態における自動原稿送り装置２についての動作は、上記の第１、第３及び第２、第４の動作を組み合わせたものであるため、動作についての説明は省略する。
【００６１】
【発明の効果】
スタンプ手段の捺印時間を環境温度または環境湿度に対応させるという本発明に係る自動原稿送り装置を用いることにより、環境温度または湿度が変化してもマーク画像のムラや濃度の変化が少ない、画質の良好なマーク付与手段を備えた自動原稿送り装置を提供することができる。
【図面の簡単な説明】
【図１】本発明に係る第１、及び第２の実施の形態の自動原稿送り装置２の構成例を示すブロック図である。
【図２】本発明に係る自動原稿送り装置２の要部断面図である。
【図３】スタンプ手段２６の構成及び動作を説明するための模式的断面図である。
【図４】第１の実施の形態における自動原稿送り装置２の動作を説明するためのフローチャートである。
【図５】第２の実施の形態における自動原稿送り装置２の動作を説明するためのフローチャートである。
【図６】第３、及び第４の実施の形態の自動原稿送り装置２の構成例を示すブロック図である。
【図７】第３の実施の形態における自動原稿送り装置２の動作を説明するためのフローチャートである。
【図８】第４の実施の形態における自動原稿送り装置２の動作を説明するためのフローチャートである。
【図９】第５、及び第６の実施の形態の自動原稿送り装置２の構成例を示すブロック図である。
【符号の説明】
１  画像形成装置
２  自動原稿送り装置
１０  制御部
１１  読み取り部
１２  操作部
１３  表示部
２０  搬送手段
２３  原稿位置センサ
２６  スタンプ手段
３０  環境温度入力手段
３１  環境湿度入力手段
【図１】
2004193737.tif 000003
【図２】
2004193737.tif 000004
【図３】
2004193737.tif 000005
【図４】
2004193737.tif 000006
【図５】
2004193737.tif 000007
【図６】
2004193737.tif 000008
【図７】
2004193737.tif 000009
【図８】
2004193737.tif 000010
【図９】
2004193737.tif 000011